(57)【要約】【課題】  指を使うと面倒である小さな釣り針への餌付けを誰しもが容易に行える釣り針用餌付け具を提供すること。【解決手段】  餌９を押し切ることで収容可能な口部３を先端に有するハンド部２と、このハンド部２基端から突出状の押し部４を押すことで先端の押出し部５ａが口部３内を前進して餌９を押出し可能にしてある作動軸部５とからなる。【選択図】  図５
2006094835.tif 000002
【特許請求の範囲】
【請求項１】
餌を押し切ることで収容可能な口部を先端に有するハンド部と、このハンド部基端から突出状の押し部を押すことで先端の押出し部が前記口部内を前進して餌を押出し可能にしてある作動軸部とからなることを特徴とする釣り針用餌付け具。
【請求項２】
口部が、ハンド部先端に着脱・交換可能に接続してあることを特徴とする請求項１記載の釣り針用餌付け具。
【発明の詳細な説明】
【技術分野】
【０００１】
本発明は釣り針用餌付け具に関し、さらに詳しくは、鮎や鮠等の比較的小型の魚を餌で釣る際に有用な餌付け具に関する。
【背景技術】
【０００２】
釣り針への餌付けは、右利きであれば左手の指で釣り針を掴み、右手の指に掴んだ餌を針先に向けて動かして付けている。
そのため、餌が小さくなるのにつれて餌付けが難しくなり、釣る前の餌付けで苦慮しているのが現状である。
そして、かかる餌付けを誰しもが簡単に行なうことができるものは提案されていない。
但し、付けられた餌を保持するために工夫された釣り針については特許文献１に記載されている。
【特許文献１】特開２００３−１０２３３７
【発明の開示】
【発明が解決しようとする課題】
【０００３】
解決しようとする課題は、第１には、指を使うと面倒である小さな釣り針への餌付けを誰しもが容易に行える釣り針用餌付け具を、第２には、さらに、魚に応じた大きさの餌を釣り針に付けられる釣り針用餌付け具を提供することにある。
【課題を解決するための手段】
【０００４】
本発明は前記した課題を達成するため、以下の構成にしたことを特徴とする。
１．餌を押し切ることで収容可能な口部を先端に有するハンド部と、このハンド部基端から突出状の押し部を押すことで先端の押出し部が前記口部内を前進して餌を押出し可能にしてある作動軸部とからなることを特徴とする。
ハンド部は、円筒状あるいは角筒状等の筒状、その他の形態のものでよく、携帯に便利で餌を付ける作業がし易いように握り持ちやすい大きさの形状であればよい。
口部は、開口縁の歯先で餌を押し切り可能で且つ押し切りした餌を口内に収容可能なパイプ状のものであればよい。この口部はハンド部先端に着脱可能に嵌着あるいは螺着して接続する態様のものであってもよいし、ハンド部と分離不可能な一体構造状のものであってもよい。
作動軸部は、先端に押し出し部を有していて、別体の押し部に押されて前進する態様のものであってもよいし、先端に押し出し部を、基端に押し部を、それぞれ有する一体状の態様のものであってもよい。また、作動軸部および／または別体の押し部は、スプリングのバネ力に抗して前進可能にしてもよい。さらに、作動軸部の前進程度は、押し出し部が口部先端近くまで前進或いは口部先端まで前進若しくは口部先端から若干突出する程度まで前進のいずれであってもよく、また、前進の程度を調整可能にしてあるものであってもよい。
材質は、錆を考慮してステンレス製が望ましい。
【０００５】
２．前記した１において、口部が、ハンド部に着脱・交換可能に接続してあることを特徴とする。
口部は、口径、長さが異なる各タイプにすることで、餌の大きさ（径×長さ）を適宜変更可能になる。
【発明の効果】
【０００６】
Ａ．請求項１により、餌に口部を押しつけることで切ることができ、そして、この押し切りした餌が収まっている口部を針先に押し込んで、口部内の餌に差し込み、しかる後に、押し部を押して餌が付けられた釣り針を押出して餌付けできる。また、口部を針先に向け、押し部を押して針先に餌を押し出すことによっても、口部内から餌を釣り針に付けることができる。したがって、指を使うと面倒である小さな釣り針への餌付けを誰しもが容易に行なうことができ、餌付けがすばやく行なえるために短時間で多くの釣果を得ることができる。
Ｂ．請求項２により、さらに、適宜の径および長さの口部と付け替えることで、魚に応じた大きさの餌を付けることができる。
【発明を実施するための最良の形態】
【０００７】
図１および図２には本発明の釣り針用餌付け具における実施の１形態を例示しており、餌付け具１は、餌を押し切ることで収容可能な口部３が先端に着脱・交換可能に螺着されている筒状ハンド部２と、この筒状ハンド部２基端から突出状の押し部４と、当該押し部４が押されることで、先端の押し出し部５ａが口部３内を前進して餌を押出し可能にしてある作動軸部５とからなっている。
【０００８】
筒状ハンド部２は、手に持ち易くて自在に動かし易い径および長さに成形してあり、先端の雌状螺子部２ａには口部３の雄状螺子部３ｂが着脱可能に螺着され、基端には押し部４がスプリング６のバネ力を受けることで基端から突出した状態に備えられている。押し部４は基端から抜け出ないように備えられ、この押し部４で作動軸部５を押すとにより、押し出し部５ａが口部内３ｃを前進して餌を押出せるようにしてある。
そして、筒状ハンド部２内には作動軸部５が軸線方向に進退可能に備えられている。また、筒状ハンド部２基端にはクリップ７が配設され、携帯に便利に形成されている。このクリップ７基部にはリング１１を止着してあり、リング１１に紐を通す等して落としたり紛失したりしないようにしてある。このリング１１は筒状ハンド部２基端に設けるようにしてもよいし、設けずともよい。
【０００９】
口部３は、先端の開口縁の歯先３ａで餌を押し切り可能で且つ押し切りした餌を口部内３ｃに収容可能な丸パイプ状に成形されている。
作動軸部５は、先端に押し出し部５ａを有していて、スプリング８のバネ力に抗して前進可能であり、また、スプリング８のバネ力を受けることで後退して口部３による餌の押し切りそして収容を妨げないようにしてある。この作動軸部５は、スプリング８のバネ力を受けて、押し出し部５ａが口部内３ｃの奥側に後退している状態と、スプリング６，８のバネ力に抗して押し部４が押されるのにともない、押し出し部５ａが歯先３ａまで前進した状態とに進退可能にしてある。
【００１０】
次に、釣り針への餌付け状態について図面を参照しつつ以下の１〜５の順に説明する。
１．餌９（図面上では烏賊）を用意する（図３、図６（ａ）参照）。
２．筒状ハンド部２を持ち餌９に押しつけて、口部３で餌９を押し切り、口部内３ｃに収容する（図４、図６（ｂ）参照）。この状態では、作動軸部５はスプリング８のバネ力を受けて後退している。
３．口部３を引き抜いて、口部内３ｃに餌９を切り取る（図５、図６（ｃ）参照）。
針先１０ａに口部３を押し込む態勢を整える（図７（ａ）参照）。
４．釣り針１０の針先１０ａに口部３を押し込み、口部内３ｃの餌９に針先１０ａが差し込まれた状態にする（図７（ｂ）参照）。
５．押し部４を押して作動軸部５を前進させて押し出し部５ａで口部内３ｃの餌９を押し出し操作することにより、口部内３ｃから餌９が針先１０ａに付けられた釣り針１０を押出し、釣り針１０に餌付けし終える（図７（ｃ）参照）。
【００１１】
このように釣り針に餌付けされた餌９は円柱状の粒状体を呈し、水中で水分を含むことにより全体的に丸くなって、魚の食いつきがよくなるものであった。
釣り対象の魚が鮎である場合、餌は前記した烏賊の他に、蒲鉾や鳥の皮奈土が挙げられる。また、この場合における口部３は口径が１．５〜２ｍｍ程度のものがよい。
【図面の簡単な説明】
【００１２】
【図１】本発明の釣り針用餌付け具における実施の1形態を例示している側面図。
【図２】縦断側面図。
【図３】餌を押し切る前の斜視図。
【図４】口部で餌を押し切りした状態の斜視図。
【図５】口部内に餌を切り取った状態の斜視図。
【図６】（ａ）は餌を押し切る前の部分拡大縦断側面図。（ｂ）は口部で餌を押し切りした状態の部分拡大縦断側面図。（ｃ）は口部内に餌を切り取った状態の部分拡大縦断側面図。
【図７】（ａ）は針先に口部を押し込む前の部分拡大縦断側面図。（ｂ）は口部内の餌に針先を押し込みした状態の部分拡大縦断側面図。（ｃ）は口部内から餌が針先に付けられた釣り針を押出した状態の部分拡大縦断側面図。
【符号の説明】
【００１３】
１  餌付け具
２  筒状ハンド部（ハンド部）
２ａ  雌状螺子部
３  口部
３ａ  歯先
３ｂ  雄状螺子部
３ｃ  口部内
４  押し部
５  作動軸部
５ａ  押し出し部
６、８スプリング
７  クリップ
９  餌
１０  釣り針
１０ａ  針先
【図１】
2006094835.tif 000003
【図２】
2006094835.tif 000004
【図３】
2006094835.tif 000005
【図４】
2006094835.tif 000006
【図５】
2006094835.tif 000007
【図６】
2006094835.tif 000008
【図７】
2006094835.tif 000009